(57)【要約】    【課題】      ユーザへの報知の確実性を向上する報知システム、移動端末装置、およびサーバ装置を提供すること。    【解決手段】  アドレス管理サーバ装置１０５は、移動端末装置１０１の最新のアドレス情報を取得する。ホームサーバ装置１０９は、電化装置１１０からのコンテンツ情報を記憶（保持）し、アドレス管理サーバ装置１０５から移動端末装置のアドレス情報を取得する制御を行う。そして、ホームサーバ装置１０９は、記憶した上記コンテンツ情報をアドレス管理サーバ装置１０５から取得したアドレス情報で特定される移動端末装置１０１に送信する。そして、移動端末装置１０１は、ホームサーバ装置１０９から送信される上記コンテンツ情報を受信して、上記コンテンツ情報の内容を報知する。  【選択図】      図１
2006050562.tif 000002
【特許請求の範囲】
【請求項１】
移動端末装置と、前記移動端末装置へ伝えるべき伝達情報の送信制御を行う第１のサーバ装置と、前記移動端末装置のアドレス情報を管理する第２のサーバ装置と、を備え、
前記第１のサーバ装置は、
前記伝達情報を保持する保持手段と、
前記第２のサーバ装置から前記アドレス情報を取得するアドレス情報取得手段と、
前記アドレス情報取得手段により前記アドレス情報が取得できないときに前記伝達情報の前記第２のサーバ装置への送信を制御する送信制御手段を具備し、
前記第２のサーバ装置は、
前記第１のサーバ装置からの前記伝達情報を保持する保持手段と、
前記移動端末装置から前記アドレス情報を取得するアドレス情報取得手段と、
前記保持手段に保持する前記伝達情報を前記アドレス情報により特定される前記移動端末装置に送信する送信手段と、を具備し、
前記移動端末装置は、
前記伝達情報を受信する受信手段と、
受信した前記伝達情報を報知する報知手段と、
を具備する
ことを特徴とする報知システム。
【請求項２】
移動端末装置と、前記移動端末装置へ伝えるべき伝達情報の送信制御を行う第１のサーバ装置と、前記移動端末装置のアドレス情報を管理する第２のサーバ装置と、を備え、
前記第１のサーバ装置は、
前記伝達情報を保持する保持手段と、
前記第２のサーバ装置から前記アドレス情報を取得するアドレス情報取得手段と、
前記アドレス情報取得手段により前記アドレス情報が取得できないときに前記アドレス情報取得を制御する制御信号の送信を制御する送信制御手段と、
前記保持手段に保持している前記伝達情報を前記第２のサーバ装置からの前記アドレス情報により特定される前記移動端末装置に送信する送信手段と、
を具備し、
前記第２のサーバ装置は、
前記移動端末装置から前記アドレス情報を取得するアドレス情報取得手段と、
前記アドレス情報を取得したときに前記制御信号の送信先である前記第１のサーバ装置に対する前記アドレス情報の送信を制御する送信制御手段と、を具備し、
前記移動端末装置は、
前記伝達情報を受信する受信手段と、
受信した前記伝達情報を報知する報知手段と、
を具備する
ことを特徴とする報知システム。
【請求項３】
前記第２のサーバ装置は、第３のサーバ装置と、前記アドレス情報を管理するアドレス情報管理サーバ装置と、を備え、
前記アドレス情報管理サーバ装置は、
前記アドレス情報取得手段を具備し、
前記第３のサーバ装置は、
前記第１のサーバ装置からの前記伝達情報を保持する保持手段と、
前記アドレス情報管理サーバ装置から前記アドレス情報を取得するアドレス情報取得手段と、
前記保持手段に保持する前記伝達情報を前記アドレス情報により特定される前記移動端末装置に送信する送信手段と、を具備する
ことを特徴とする請求項１記載の報知システム。
【請求項４】
前記第２のサーバ装置は、第３のサーバ装置と、前記アドレス情報を管理するアドレス情報管理サーバ装置と、を備え、
前記アドレス情報管理サーバ装置は、
前記アドレス情報取得手段を具備し、
前記第３のサーバ装置は、
前記アドレス情報管理サーバ装置から前記アドレス情報を取得するアドレス情報取得手段と、
前記アドレス情報取得手段により前記アドレス情報を取得したときに前記制御信号の送信先である前記第１のサーバ装置に対する前記アドレス情報の送信を制御する送信制御手段と、
を具備する
ことを特徴とする請求項２記載の報知システム。
【請求項５】
移動端末装置と、前記移動端末装置へ伝えるべき伝達情報の送信制御を行う第１のサーバ装置と、前記移動端末装置のアドレス情報を管理する第２のサーバ装置と、を備え、前記第１のサーバ装置は、前記伝達情報を保持する保持手段と、前記第２のサーバ装置から前記アドレス情報を取得するアドレス情報取得手段と、前記アドレス情報取得手段により前記アドレス情報が取得できないときに前記伝達情報の前記第２のサーバ装置への送信を制御する送信制御手段を具備し、前記第２のサーバ装置は、前記第１のサーバ装置からの前記伝達情報を保持する保持手段と、前記移動端末装置から前記アドレス情報を取得するアドレス情報取得手段と、前記保持手段に保持する前記伝達情報を前記アドレス情報により特定される前記移動端末装置に送信する送信手段と、を具備する報知システムにおける移動端末装置であって、
前記伝達情報を受信する受信手段と、
受信した前記伝達情報を報知する報知手段と、
を具備する
ことを特徴とする移動端末装置。
【請求項６】
自装置に割り当てられたアドレス情報を取得するアドレス情報取得手段と、
前記自装置に割り当てられた前記アドレス情報を所定間隔ごとに、又は前記第２のサーバ装置からの求めに応じて送信する送信手段と、
をさらに具備することを特徴とする請求項５記載の移動端末装置。
【請求項７】
移動端末装置と、前記移動端末装置へ伝えるべき伝達情報の送信制御を行う第１のサーバ装置と、前記移動端末装置のアドレス情報を管理するアドレス情報管理サーバ装置と、第３のサーバ装置とを備え、前記第１のサーバ装置は、前記伝達情報を保持する保持手段と、前記第３のサーバ装置から前記アドレス情報を取得するアドレス情報取得手段と、前記アドレス取得手段により前記アドレス情報が取得できないときに前記伝達情報の前記第３のサーバ装置への送信を制御する送信制御手段を具備し、前記アドレス情報管理サーバ装置は、前記移動端末装置から前記アドレス情報を取得するアドレス情報取得手段を具備し、前記移動端末装置は、前記伝達情報を受信する受信手段と、受信した前記伝達情報を報知する報知手段と、を具備する報知システムにおける第３のサーバ装置であって、
前記第１のサーバ装置からの前記伝達情報を保持する保持手段と、
前記アドレス情報管理サーバ装置から前記アドレス情報を取得するアドレス情報取得手段と、
前記保持手段に保持する前記伝達情報を前記アドレス情報により特定される前記移動端末装置に送信する送信手段と、を具備する
ことを特徴とするサーバ装置。
【請求項８】
移動端末装置と、前記移動端末装置へ伝えるべき伝達情報の送信制御を行う第１のサーバ装置と、前記移動端末装置のアドレス情報を管理するアドレス情報サーバ装置と、第３のサーバ装置と、を備え、前記第１のサーバ装置は、前記伝達情報を保持する保持手段と、前記第３のサーバ装置から前記アドレス情報を取得するアドレス情報取得手段と、前記アドレス情報取得手段により前記アドレス情報が取得できないときに前記アドレス情報取得を制御する制御信号の送信を制御する送信制御手段と、前記保持手段に保持している前記伝達情報を前記第３のサーバ装置からの前記アドレス情報により特定される前記移動端末装置に送信する送信手段と、を具備し、前記アドレス情報管理サーバ装置は、前記移動端末装置から前記アドレス情報を取得するアドレス情報取得手段と、前記移動端末装置は、前記伝達情報を受信する受信手段と、受信した前記伝達情報を報知する報知手段と、を具備する報知システムにおける第３のサーバ装置であって、
前記アドレス情報管理サーバ装置から前記アドレス情報を取得するアドレス情報取得手段と、
前記アドレス情報取得手段により前記アドレス情報を取得したときに前記制御信号の送信先である前記第１のサーバ装置に対する前記アドレス情報の送信を制御する送信制御手段と、
を具備する
ことを特徴とするサーバ装置。
【請求項９】
移動端末装置と、前記移動端末装置へ伝えるべき伝達情報の送信制御を行う第１のサーバ装置と、前記移動端末装置のアドレス情報を管理するアドレス情報管理サーバ装置と、第３のサーバ装置とを備え、前記第１のサーバ装置は、前記伝達情報を保持する保持手段と、前記第３のサーバ装置から前記アドレス情報を取得するアドレス情報取得手段と、前記アドレス情報取得手段により前記アドレス情報が取得できないときに前記伝達情報の前記第３のサーバ装置への送信を制御する送信制御手段を具備し、前記アドレス情報管理サーバ装置は、前記移動端末装置から前記アドレス情報を取得するアドレス情報取得手段を具備し、前記移動端末装置は、前記伝達情報を受信する受信手段と、受信した前記伝達情報を報知する報知手段と、を具備する報知システムにおける第３のサーバ装置であって、
前記アドレス情報取得手段は、前記アドレス管理サーバ装置による前記アドレス情報の送信を制御する制御信号の前記アドレス管理サーバ装置に対する所定間隔ごとの送信を制御することを特徴とするサーバ装置。
【請求項１０】
移動端末装置と、前記移動端末装置へ伝えるべき伝達情報の送信制御を行う第１のサーバ装置と、前記移動端末装置のアドレス情報を管理する第２のサーバ装置と、を備え、前記第２のサーバ装置は、前記移動端末装置から前記アドレス情報を取得するアドレス情報取得手段と、前記アドレス情報を取得したときに前記制御信号の送信先である前記第１のサーバ装置に対する前記アドレス情報の送信を制御する送信制御手段と、前記移動端末装置は、前記伝達情報を受信する受信手段と、受信した前記伝達情報を報知する報知手段と、を具備する報知システムにおける第１のサーバ装置であって、
前記伝達情報を保持する保持手段と、
前記アドレス情報取得手段による前記アドレス情報が取得できないときに前記アドレス情報取得を制御する制御信号の送信を制御する送信制御手段と、
前記保持手段に保持している前記伝達情報を前記第２のサーバ装置からの前記アドレス情報により特定される前記移動端末装置に送信する送信手段と、
を具備することを特徴とするサーバ装置。
【発明の詳細な説明】
【技術分野】
【０００１】
本発明は、報知システム、移動端末装置、およびサーバ装置に関し、特に電化装置からユーザへ報知すべき情報にかかる報知システム、これを構成する移動端末装置、およびサーバ装置に関する。
【背景技術】
【０００２】
屋内の電化装置などをネットワーク経由で遠隔制御し、移動端末装置を所持したユーザに上記電化装置の状態変化を通知する従来の報知システムが開示されている（特許文献１、特許文献２、および特許文献３参照）。
【０００３】
これら従来の報知システムでは、上記電化装置の状態変化を通知するユーザの送信先(電話番号、メールアドレスなど)を予め登録しておき、ユーザへ通知すべき出来事（以下、「イベント」という）の発生時には、イベント通知装置への通知要求がなされ、イベント通知装置は、予め登録しておいた送信先のユーザの所持する移動端末装置に通知を行う。
【特許文献１】特開２００１−３２６９８０号公報
【特許文献２】特開２００２−１８６０６５号公報
【特許文献３】特開２００３−３１９５７２号公報
【発明の開示】
【発明が解決しようとする課題】
【０００４】
しかしながら、従来の報知システムにおいては、ユーザに通知するイベントが発生したタイミングに移動端末装置が通信できない状態にあると、通知要求が消滅してしまい、その後ユーザへの通知がなされず、ユーザへの報知の確実性に乏しいという問題がある。
【０００５】
また、ＩＥＥＥ８０２．１１などの無線ＬＡＮの普及により、移動端末装置がインターネットに接続可能な端末装置であるケースも考えられる。このときイベント通知の送信先はＩＰアドレスにより特定される。この移動端末装置のＩＰアドレスは移動端末装置の存在する場所によって変わるため、イベント通知装置に予め送信先を登録しておくことができず、この点でもユーザへの報知の確実性に乏しいという問題がある。
【０００６】
本発明は、かかる点に鑑みてなされたものであり、ユーザへの報知の確実性を向上する報知システム、移動端末装置、およびサーバ装置を提供することを目的とする。
【課題を解決するための手段】
【０００７】
本発明の報知システムは、移動端末装置と、前記移動端末装置へ伝えるべき伝達情報の送信制御を行う第１のサーバ装置と、前記移動端末装置のアドレス情報を管理する第２のサーバ装置と、を備え、前記第１のサーバ装置は、前記伝達情報を保持する保持手段と、前記第２のサーバ装置から前記アドレス情報を取得するアドレス情報取得手段と、前記アドレス情報取得手段により前記アドレス情報が取得できないときに前記伝達情報の前記第２のサーバ装置への送信を制御する送信制御手段を具備し、前記第２のサーバ装置は、前記第１のサーバ装置からの前記伝達情報を保持する保持手段と、前記移動端末装置から前記アドレス情報を取得するアドレス情報取得手段と、前記保持手段に保持する前記伝達情報を前記アドレス情報により特定される前記移動端末装置に送信する送信手段と、を具備し、前記移動端末装置は、前記伝達情報を受信する受信手段と、受信した前記伝達情報を報知する報知手段と、を具備する構成を採る。
【発明の効果】
【０００８】
本発明によれば、コンテンツ情報をサーバ装置が記憶し、かつ、移動端末装置の最新のアドレス情報を取得し、この最新のアドレス情報に対して上記コンテンツ情報を送信するので、移動端末装置におけるユーザへの報知の確実性を向上する報知システム、移動端末装置、およびサーバ装置を提供することができる。
【発明を実施するための最良の形態】
【０００９】
本発明の骨子は、コンテンツ情報をサーバ装置が記憶し、かつ、移動端末装置の最新のアドレス情報を取得し、この最新のアドレス情報に対して上記コンテンツ情報を送信するので、移動端末装置におけるユーザへの報知の確実性を向上することである。
【００１０】
以下、本発明の一実施の形態について図面を参照して詳細に説明する。
【００１１】
まず、本実施の形態に係る報知システムの全体構成について、図１を参照して説明する。
【００１２】
図１は、報知システム１００の全体構成図である。
【００１３】
図１に示すように、報知システム１００は、移動端末装置１０１と、基地局装置１０２と、ネットワークシステム１０３と、ＡＳＰネットワークシステム１０４と、アドレス管理サーバ装置１０５と、アプリケーションサーバ装置１０６と、ルータ装置１０７と、家庭内ネットワークシステム１０８と、ホームサーバ装置１０９と、家庭用電化装置１１０とを備える。
【００１４】
図２は、移動端末装置１０１のアドレス登録処理を示した図である。
【００１５】
図２に示すように、移動端末装置１０１は、自装置の電源がＯＮになったとき、ネットワークシステムとの通信圏内に入ったとき、又はアドレス情報が変更されたときなどに、「アドレス登録処理」を行う。具体的には、移動端末装置１０１は、ネットワークシステム１０３に接続すると、アドレス登録メッセージをアドレス管理サーバ装置１０５に送信する。詳細には、移動端末装置１０１は、ネットワークシステム１０３に接続すると、そのネットワークシステム１０３にて割当てられたアドレス情報（例えば、ＩＰアドレス）を、自装置を識別する移動端末識別情報および自装置のユーザを識別するユーザＩＤとともに、ＡＳＰネットワークシステム１０４のアドレス管理サーバ装置１０５に対して基地局装置１０２およびネットワークシステム１０３を介して送信する。なお、移動端末装置１０１は、所定間隔ごとに「アドレス登録処理」を行う構成としてもよい。
【００１６】
アドレス管理サーバ装置１０５は、移動端末装置１０１からのアドレス情報と、移動端末装置１０１を識別する移動端末識別情報およびユーザＩＤとを対応づけて記憶する。これにより、移動端末装置１０１のアドレス情報が変わっても、アドレス管理サーバ装置１０５は、移動端末装置１０１の新しいアドレス情報を管理することができる。
【００１７】
次いで、報知システム１００の動作の流れについて図３を参照して説明する。
【００１８】
図３に示すように、家庭内ネットワークシステム１０８の家庭用の電化装置（例えば、冷蔵庫、ビデオ装置、ＤＶＤ装置など）１１０は、移動端末装置１０１を用いてユーザに対して報知すべき出来事（以下、「イベント」という）が生じたときに、ホームサーバ装置１０９に対してイベント通知メッセージ（イベントを識別するイベント識別情報、およびコンテンツ情報を含んでいる）を送信する（ステップＳＴ２０１）。
【００１９】
ホームサーバ装置１０９は、イベント通知メッセージを受け取ると、このイベント通知メッセージを記憶するとともに、アドレス取得制御メッセージを生成し、このアドレス取得制御メッセージをアプリケーションサーバ装置１０６に対してルータ装置１０７およびネットワークシステム１０３を介して送信する（ステップＳＴ２０２）。なお、このアドレス取得制御メッセージは、図４に示すように、メッセージヘッダ（ここでは、アドレス取得制御メッセージであることを示す）と、移動端末装置１０１を識別する移動端末識別情報と、ホームサーバ装置１０９のアドレスを示すホームサーバアドレス情報と、イベント識別情報とからなる。
【００２０】
アプリケーションサーバ装置１０６は、アドレス取得制御メッセージを受け取ると、アドレス検索制御メッセージを生成し、このアドレス検索メッセージをアドレス管理サーバ装置１０５に送信する（ステップＳＴ２０３）。なお、このアドレス検索メッセージは、図５に示すように、メッセージヘッダ（ここでは、アドレス検索メッセージであることを示す）と、移動端末識別情報とからなる。
【００２１】
アドレス管理サーバ装置１０５は、アドレス検索メッセージを受け取ると、「アドレス検索処理」を行う（ステップＳＴ２０４）。具体的には、アドレス検索メッセージの移動端末識別情報をキーとして、その移動端末識別情報に対応して記憶されている移動端末装置１０１のアドレス情報を検索する。
【００２２】
検索が終了すると、アドレス管理サーバ装置１０５は、検索結果メッセージを生成し、アプリケーションサーバ装置１０６に送信する（ステップＳＴ２０５）。なお、この検索結果メッセージには、上記の検索が成功したことを示す成功検索結果メッセージと、上記の検索の結果が失敗だったこと、すなわち、移動端末識別情報に対応するアドレス情報が見つからなかったことを示す失敗検索結果メッセージとがある。図３においては、アドレス管理サーバ装置１０５による検索が成功した場合が示されている。
【００２３】
この成功検索結果メッセージは、図６に示すように、メッセージヘッダ（この場合は、成功検索結果メッセージであることを示す）と、移動端末識別情報と、ステータス情報と、移動端末装置１０１のアドレス情報とからなる。また、失敗検索結果メッセージは、図７に示すように、メッセージヘッダ（この場合は、失敗検索結果メッセージであることを示す）と、移動端末識別情報とからなる。
【００２４】
アプリケーションサーバ装置１０６は、成功検索結果メッセージを受け取ると、取得アドレスメッセージを生成し、この取得アドレスメッセージをホームサーバ装置１０９に送信する（ステップＳＴ２０６）。なお、この取得アドレスメッセージは、図８に示すように、メッセージヘッダ（この場合は、取得アドレスメッセージであることを示す）と、移動端末識別情報と、ステータス情報と、移動端末装置１０１のアドレス情報と、イベント識別情報とからなる。
【００２５】
ホームサーバ装置１０９は、取得アドレスメッセージを受け取ると、この取得アドレスメッセージのイベント識別情報に対応して記憶しているコンテンツ情報を、この取得アドレスメッセージに含まれるアドレス情報を持つ移動端末装置１０１に対して送信する（ステップＳＴ２０７）。
【００２６】
次いで、図３のステップＳＴ２０４のアドレス検索処理において検索が失敗したときの
報知システム１００の動作の流れについて、図９を参照して説明する。
【００２７】
図９において、ステップＳＴ２０１からステップＳＴ２０４までの報知システム１００の動作は図３と同じである。
【００２８】
アドレス管理サーバ装置１０５は、ステップＳＴ２０４のアドレス検査処理において検索が失敗したときには、失敗検索結果メッセージ（図７参照）を生成し、この失敗検索結果メッセージをアプリケーションサーバ装置１０６に送信する（ステップＳＴ３０１）。
【００２９】
アプリケーションサーバ装置１０６は、失敗検索結果メッセージを受け取ると、失敗アドレス取得メッセージを生成し、この失敗アドレス取得メッセージをホームサーバ装置１０９に送信する（ステップＳＴ３０２）。なお、この失敗アドレス取得メッセージは、図１０に示すように、メッセージヘッダ（この場合は、失敗アドレス取得メッセージであることを示す）と、移動端末識別情報と、ステータス情報と、イベント識別情報とからなる。
【００３０】
ホームサーバ装置１０９は、失敗検索結果メッセージを受け取ると、この失敗検索結果メッセージのイベント識別情報に対応して記憶しているコンテンツ情報を含むイベント／コンテンツメッセージを生成し、このイベント／コンテンツメッセージをアプリケーションサーバ装置１０６に送信する（ステップＳＴ３０３）。なお、このイベント／コンテンツメッセージは、図１１に示すように、メッセージヘッダ（この場合は、イベント／コンテンツメッセージであることを示す）と、移動端末識別情報と、ホームサーバアドレス情報と、イベント識別情報と、コンテンツ情報とからなる。
【００３１】
アプリケーションサーバ装置１０６は、イベント／コンテンツメッセージを受け取ると、このイベント／コンテンツメッセージを記憶する（ステップＳＴ３０４）。
【００３２】
また、移動端末装置１０１は、自装置の電源がＯＮになったとき、ネットワークシステムとの通信圏内に入ったとき、又はアドレス情報が変更されたときなどに、「アドレス登録処理」を行う（ステップＳＴ３０５およびステップＳＴ３０６）。
【００３３】
アドレス管理サーバ装置１０５は、「アドレス登録処理」が終了すると、登録アドレスメッセージを生成し、この登録アドレスメッセージをアプリケーションサーバ装置１０６に送信する（ステップＳＴ３０７）。なお、この登録アドレスメッセージは、図１２に示すように、移動端末識別情報と、アドレス情報とからなる。
【００３４】
アプリケーションサーバ装置１０６は、登録アドレスメッセージを受け取ると、この登録アドレスメッセージの移動端末識別情報と対応するイベント／コンテンツメッセージが記憶されているか否かを判定する。この判定の結果、登録アドレスメッセージの移動端末識別情報と対応するイベント／コンテンツメッセージが記憶されていれば、アプリケーションサーバ装置１０６は、登録アドレスメッセージに含まれるアドレス情報を持つ移動端末装置１０１に対して、そのイベント／コンテンツメッセージに含まれるコンテンツ情報を送信する（ステップＳＴ３０８）。
【００３５】
図１３は、移動端末装置１０１の構成を示すブロック図である。
【００３６】
図１３に示すように、移動端末装置１０１は、アドレス情報登録制御部１２１と、送信部１２２と、受信部１２３と、報知部１２４とを備える。
【００３７】
アドレス情報登録制御部１２１は、自装置の電源がＯＮになったとき、ネットワークシステムとの通信圏内に入ったとき、又はアドレス情報が変更されたときなどに、アドレス登録メッセージを生成し、このアドレス登録メッセージを送信部１２２に出力する。なお、アドレス登録制御部１２１は、所定間隔ごとにアドレス登録メッセージを生成し、このアドレス登録メッセージを送信部１２２に出力する構成としてもよい。
【００３８】
送信部１２２は、アドレス情報登録制御部１２１からのアドレス登録メッセージをアドレス管理サーバ装置１０５に送信する。
【００３９】
受信部１２３は、アプリケーションサーバ装置１０６又はホームサーバ装置１０９から送信されるコンテンツ情報を受信して、報知部１２４に出力する。
【００４０】
報知部１２４は、受信部１２３からのコンテンツ情報の内容を報知する。
【００４１】
図１４は、アドレス管理サーバ装置１０５の構成を示すブロック図である。
【００４２】
図１４に示すように、アドレス管理サーバ装置１０５は、受信部１３１と、アドレス情報管理部１３２と、記憶部１３３と、アドレス情報通知制御部１３４と、送信部１３５とを備える。
【００４３】
アドレス管理サーバ装置１０５においては、受信部１３１は、移動端末装置１０１からのアドレス登録メッセージを受信し、アドレス情報管理部１３２に出力する。
【００４４】
アドレス情報管理部１３２は、受信部１３１からのアドレス登録メッセージを受け取り、そのアドレス登録メッセージの移動端末識別情報と一致するアドレス情報が記憶部１３３に記憶されていれば、そのアドレス登録メッセージの移動端末識別情報およびアドレス情報で上書きし、また、そのアドレス登録メッセージの移動端末識別情報と一致するアドレス情報が記憶部１３３に記憶されていなければ、そのアドレス登録メッセージの移動端末識別情報およびアドレス情報を記憶する。さらに、アドレス情報管理部１３２は、アドレス登録メッセージの移動端末識別情報およびアドレス情報をアドレス情報通知制御部１３４に出力する。
【００４５】
なお、記憶部１３３は、図１５に示すように、アドレス情報管理部１３２から受け取る移動端末識別情報およびアドレス情報を対応づけて記憶する。
【００４６】
アドレス情報通知制御部１３４は、アドレス情報管理部１３２からの移動端末識別情報およびアドレス情報を登録アドレスメッセージとして送信部１３５に出力する。
【００４７】
送信部１３５は、アドレス情報通知制御部１３４からの登録アドレスメッセージをアプリケーションサーバ装置１０６に送信する。
【００４８】
また、アドレス管理サーバ装置１０５においては、受信部１３１は、アドレス検索制御メッセージをアプリケーションサーバ装置１０６から受信し、アドレス情報通知制御部１３４に出力する。
【００４９】
アドレス情報通知制御部１３４は、受信部１３１からアドレス検索制御メッセージを受け取ると、そのアドレス検索制御メッセージの移動端末識別情報に対応するアドレス情報が記憶部１３３に記憶されているか否かを検索する。
【００５０】
この検索の結果、記憶部１３３に受信部１３１から受け取ったアドレス検索制御メッセージの移動端末識別情報に対応するアドレス情報が記憶されているときには、アドレス情報通知制御部１３４は、記憶部１３３に記憶されているそのアドレス情報とアドレス検索制御メッセージとから成功検索結果メッセージを生成して、送信部１３５に出力する。
【００５１】
一方、検索の結果、記憶部１３３に受信部１３１から受け取ったアドレス検索制御メッセージの移動端末識別情報に対応するアドレス情報が記憶されていないときには、アドレス情報通知制御部１３４は、失敗検索結果メッセージを生成して、送信部１３５に出力する。
【００５２】
送信部１３５は、アドレス情報通知制御部１３４からの成功検索結果メッセージ又は失敗検索結果メッセージをアプリケーションサーバ装置１０６に送信する。
【００５３】
図１６は、アプリケーションサーバ装置１０６の構成を示したブロック図である。
【００５４】
図１６に示すように、アプリケーションサーバ装置１０６は、受信部１４１と、情報取得制御部１４２と、記憶部１４３と、送信部１４４と、コンテンツ情報送信制御部１４５を備える。
【００５５】
アプリケーションサーバ装置１０６においては、受信部１４１は、ホームサーバ装置１０９からアドレス取得制御メッセージを受け取ると、このアドレス取得制御メッセージを情報取得制御部１４２へ出力する。
【００５６】
情報取得制御部１４２は、このアドレス取得制御メッセージに含まれる移動端末識別情報、ホームサーバアドレス情報、およびイベント識別情報を関連づけて記憶部１４３に出力する。なお、記憶部１４３は、情報取得制御部１４２からの移動端末識別情報、ホームサーバアドレス情報、およびイベント識別情報を関連づけて記憶する。
【００５７】
また、情報取得制御部１４２は、ホームサーバ装置１０９からアドレス取得制御メッセージを受け取ると、そのアドレス取得制御メッセージを基にしてアドレス検索制御メッセージを生成し、このアドレス検索制御メッセージを送信部１４４に出力する。
【００５８】
送信部１４４は、情報取得制御部１４２からのアドレス検索制御メッセージをアドレス管理サーバ装置１０５に送信する。
【００５９】
また、アプリケーションサーバ装置１０６においては、受信部１４１は、アドレス管理サーバ装置１０５から成功検索結果メッセージ又は失敗検索結果メッセージを受信して、この成功検索結果メッセージ又は失敗検索結果メッセージを情報取得制御部１４２に出力する。
【００６０】
情報取得制御部１４２は、成功検索結果メッセージを受け取ると、取得アドレスメッセージを生成し、この取得アドレスメッセージを送信部１４４に出力する。一方、情報取得制御部１４２は、失敗検索結果メッセージを受け取ると、失敗アドレス取得メッセージを生成し、この失敗アドレス取得メッセージを送信部１４４に出力する。
【００６１】
送信部１４４は、情報取得制御部１４２からの取得アドレスメッセージ又は失敗アドレス取得メッセージをホームサーバ装置１０９に送信する。
【００６２】
さらに、アプリケーションサーバ装置１０６においては、受信部１４１は、ホームサーバ装置１０９からイベント／コンテンツメッセージを受信して、このイベント／コンテンツメッセージを情報取得制御部１４２に出力する。
【００６３】
情報取得制御部１４２は、受信部からのイベント／コンテンツメッセージを受け取ると、そのイベント／コンテンツメッセージの移動端末識別情報、ホームサーバアドレス情報、およびイベント識別情報と一致する記憶部１４３に記憶されているデータに、さらにそのイベント／コンテンツメッセージに含まれるコンテンツ情報を関連づけて記憶させる。なお、記憶部１４３は、移動端末識別情報、ホームサーバアドレス情報、およびイベント識別情報と、それらに対応するコンテンツ情報とを対応づけて記憶する。このときの記憶部１４３が保持するテーブルの一例を図１７に示す。
【００６４】
また、アプリケーションサーバ装置１０６においては、受信部１４１は、登録アドレスメッセージを受信して、情報取得制御部１４２に出力する。
【００６５】
情報取得制御部１４２は、受信部１４１からの登録アドレスメッセージを受け取ると、この登録アドレスメッセージの移動端末識別情報に対応するコンテンツ情報が記憶部１４３に記憶されているか検索する。
【００６６】
検索の結果、記憶部１４３に登録アドレスメッセージの移動端末識別情報に対応するコンテンツ情報が記憶部１４３に記憶されているときには、その登録アドレスメッセージをコンテンツ情報送信制御部１４５に出力する。
【００６７】
コンテンツ情報送信制御部１４５は、情報取得制御部１４２からの登録アドレスメッセージを受け取ると、その登録アドレスメッセージの移動端末識別情報に対応するコンテンツ情報を記憶部１４３から取得する。そして、コンテンツ情報送信制御部１４５は、登録アドレスメッセージのアドレス情報と、記憶部１４３から取得したコンテンツ情報とを送信部１４４に出力する。
【００６８】
送信部１４４は、コンテンツ情報送信制御部１４５からのアドレス情報により特定される移動端末装置１０１に対して、コンテンツ情報送信制御部１４５からのコンテンツ情報を送信する。
【００６９】
図１８は、ホームサーバ装置１０９の構成を示すブロック図である。
【００７０】
図１８に示すように、ホームサーバ装置１０９は、受信部１５１と、情報取得制御部１５２と、記憶部１５３と、情報送信制御部１５４と、送信部１５５とを備える。
【００７１】
ホームサーバ装置１０９においては、受信部１５１は、家庭用電化装置１１０からのイベント通知メッセージを受信して、情報取得制御部１５２に出力する。
【００７２】
情報取得制御部１５２は、受信部１５１からのイベント通知メッセージを受け取ると、このイベント通知メッセージのイベント識別情報と、イベント通知メッセージのコンテンツ情報とを記憶部１５３に出力する。
【００７３】
記憶部１５３は、予めイベント識別情報と、このイベント識別情報に対応するコンテンツ情報を送信すべき移動端末装置１０１の移動端末識別情報とを対応づけて記憶している。そして、記憶部１５３は、情報取得制御部１５２からのイベント識別情報と対応する予め記憶しているデータと、情報取得制御部１５２からのコンテンツ情報とを対応づけて記憶する。このときの記憶部１５３が保持するテーブルの一例を図１９に示す。
【００７４】
また、情報取得制御部１５２は、受信部１５１からのイベント通知メッセージを受け取ると、アドレス取得制御メッセージを生成し、このアドレス取得制御メッセージを送信部１５５に情報送信制御部１５４を介して出力する。
【００７５】
送信部１５５は、情報取得制御部１５２からアドレス取得制御メッセージを受け取り、アプリケーションサーバ装置１０６に送信する。
【００７６】
また、ホームサーバ装置１０９においては、受信部１５１は、アプリケーションサーバ装置１０６から取得アドレスメッセージ又は失敗アドレス取得メッセージを受信して、情報取得制御部１５２に出力する。
【００７７】
情報取得制御部１５２は、受信部１５１から取得アドレスメッセージ又は失敗アドレス取得メッセージを受け取ると、情報送信制御部１５４に出力する。
【００７８】
情報送信制御部１５４は、情報取得制御部１５２からの取得アドレスメッセージを受け取ると、この取得アドレスメッセージの移動端末識別情報およびイベント識別情報に対応する記憶部１５３に記憶されたコンテンツ情報を取得する。そして、情報送信制御部１５４は、記憶部１５３から取得したコンテンツ情報と、情報取得制御部１５２からの取得アドレスメッセージに含まれるアドレス情報とを送信部１５５に出力する。
【００７９】
送信部１５５は、情報送信制御部１５４からのコンテンツ情報を、情報送信制御部１５４からのアドレス情報により特定される移動端末装置１０１に送信する。
【００８０】
また、情報送信制御部１５４は、情報取得制御部１５２からの失敗アドレス取得メッセージを受け取ると、イベント／コンテンツメッセージを生成して、このイベント／コンテンツメッセージを送信部１５５に出力する。なお、このイベント／コンテンツメッセージは、情報取得制御部１５２からの失敗アドレス取得メッセージと、この失敗アドレス取得メッセージの移動端末識別情報およびイベント識別情報に対応する記憶部１５３に記憶されているコンテンツ情報と、自装置のホームサーバアドレス情報とを基にして生成される。
【００８１】
送信部１５５は、情報送信制御部１５４からのイベント／コンテンツメッセージをアプリケーションサーバ装置１０６に送信する。
【００８２】
なお、上記説明では、ホームサーバ装置１０９は、失敗検索結果メッセージを受け取ると、イベント／コンテンツメッセージを生成し、このイベント／コンテンツメッセージをアプリケーションサーバ装置１０６に送信する（ステップＳＴ３０３）ものとして説明を行った。しかしながら、ホームサーバ装置１０９がアドレス取得制御メッセージを送信してからの経過時間を計測するタイマ部（図示せず）を備え、この経過時間が一定期間経過したときに、ホームサーバ装置１０９の情報取得制御部１５２が、上記アドレス取得制御メッセージに対応する記憶部１５３に記憶された情報から失敗検索結果メッセージを生成し、これを情報送信制御部１５４に出力する構成としてもよい。
【００８３】
またなお、上記説明では、アプリケーションサーバ装置１０６は、失敗検索結果メッセージを受け取ると、失敗アドレス取得メッセージを生成し、この失敗アドレス取得メッセージをホームサーバ装置１０９に送信する（ステップＳＴ３０２）。そして、ホームサーバ装置１０９は、失敗検索結果メッセージを受け取ると、この失敗検索結果メッセージのイベント識別情報に対応して記憶しているコンテンツ情報を含むイベント／コンテンツメッセージを生成し、このイベント／コンテンツメッセージをアプリケーションサーバ装置１０６に送信する（ステップＳＴ３０３）ものとして説明を行った。しかしながら、ステップＳＴ２０２において、ホームサーバ装置１０９が、生成してアプリケーションサーバ装置１０６に送信するアドレス取得制御メッセージに、対応するコンテンツ情報を含めることができる。そうすることで、上記ステップＳＴ３０２およびステップＳＴ３０３の動作が必要なくなる。
【００８４】
このように、本実施の形態によれば、アドレス管理サーバ装置１０５は、移動端末装置１０１の最新のアドレス情報を取得する。ホームサーバ装置１０９においては、記憶部１５３が家庭用電化装置１１０からのコンテンツ情報を記憶（保持）し、情報取得制御部１５２がアドレス管理サーバ装置１０５から移動端末装置のアドレス情報を取得する制御を行う。そして、ホームサーバ装置１０９は、記憶部１５３が記憶した上記コンテンツ情報をアドレス管理サーバ装置１０５から取得したアドレス情報で特定される移動端末装置１０１に送信する。そして、移動端末装置１０１においては、ホームサーバ装置１０９から送信される上記コンテンツ情報を受信して、報知部１２４が上記コンテンツ情報の内容を報知する。
【００８５】
こうすることで、ホームサーバ装置１０９が、家庭用電化装置１１０からのコンテンツ情報を記憶しつつ、アドレス管理サーバ装置１０５から移動端末装置１０１の最新のアドレス情報を取得し、この最新のアドレスに対して上記コンテンツ情報を送信するので、移動端末装置１０１におけるユーザへの報知の確実性を向上することができる。
【００８６】
また、本実施の形態によれば、ホームサーバ装置１０９においては、情報取得制御部１５２がアドレス管理サーバ装置１０５から移動端末装置のアドレス情報を取得できないときに、記憶部１５３が記憶する家庭用電化装置１１０からのコンテンツ情報をアプリケーションサーバ装置１０６に送信する。アプリケーションサーバ装置１０６においては、記憶部１４３がホームサーバ装置１０９からの上記コンテンツ情報を記憶しつつ、情報取得制御部１４２がアドレス管理サーバ装置１０５から移動端末装置１０１の最新のアドレス情報の取得する制御を行う。そして、アプリケーションサーバ装置１０６は、記憶部１４３が記憶した上記コンテンツ情報をアドレス管理サーバ装置１０５から取得したアドレス情報で特定される移動端末装置１０１に送信する。
【００８７】
アプリケーションサーバ装置１０６が、家庭用電化装置１１０からのコンテンツ情報を記憶しつつ、アドレス管理サーバ装置１０５から移動端末装置１０１の最新のアドレス情報を取得し、この最新のアドレスに対して上記コンテンツ情報を送信するので、移動端末装置１０１におけるユーザへの報知の確実性を向上することができる。
【００８８】
なお、上記説明では、移動端末装置１０１は、自装置の電源がＯＮになったとき、ネットワークシステムとの通信圏内に入ったとき、又はアドレス情報が変更されたときなどに、「アドレス登録処理」を行う（ステップＳＴ３０５およびステップＳＴ３０６）。そして、アドレス管理サーバ装置１０５は、「アドレス登録処理」が終了すると、登録アドレスメッセージを生成し、この登録アドレスメッセージをアプリケーションサーバ装置１０６に送信して（ステップＳＴ３０７）、アプリケーションサーバ装置１０６は移動端末装置１０１のアドレス情報を取得するものとして説明を行った。しかしながら、アプリケーションサーバ装置１０６が定期的にアドレス管理サーバ装置１０５に問い合わせる形で移動端末装置１０１のアドレス情報を取得してもよい。
【００８９】
詳細には、アプリケーションサーバ装置１０６の情報取得制御部１４２は、ホームサーバ装置１０９からアドレス取得制御メッセージを受け取ると、そのアドレス取得制御メッセージを基にしてアドレス検索制御メッセージを生成し、このアドレス検索制御メッセージを送信部１４４に出力する。そして、送信部１４４は、情報取得制御部１４２からのアドレス検索制御メッセージをアドレス管理サーバ装置１０５に送信する。なお、情報取得制御部１４２および送信部１４４の上記動作は、移動端末装置１０１のアドレス情報を取得するまで定期的に繰り返される。
【００９０】
そして、アドレス管理サーバ装置１０５のアドレス情報管理部１３２は、受信部１３１からのアドレス登録メッセージを受け取り、そのアドレス登録メッセージの移動端末識別情報と一致するアドレス情報が記憶部１３３に記憶されていれば、そのアドレス登録メッセージの移動端末識別情報およびアドレス情報で上書きし、また、そのアドレス登録メッセージの移動端末識別情報と一致するアドレス情報が記憶部１３３に記憶されていなければ、そのアドレス登録メッセージの移動端末識別情報およびアドレス情報を記憶する。
【００９１】
そして、アプリケーションサーバ装置１０６からのアドレス取得制御メッセージを受け取った時点で、このアドレス取得制御メッセージに対応する移動端末識別情報およびアドレス情報が記憶部１３３に記憶されていれば、アドレス情報通知制御部１３４は、その移動端末識別情報およびアドレス情報を登録アドレスメッセージとして送信部１３５に出力する。
【００９２】
なお、上記説明では、アプリケーションサーバ装置１０６は、失敗検索結果メッセージを受け取ると、失敗アドレス取得メッセージを生成し、この失敗アドレス取得メッセージをホームサーバ装置１０９に送信する（ステップＳＴ３０２）。そして、ホームサーバ装置１０９は、失敗検索結果メッセージを受け取ると、この失敗検索結果メッセージのイベント識別情報に対応するコンテンツ情報を生成する。そして、ホームサーバ装置１０９は、このコンテンツ情報を含むイベント／コンテンツメッセージを生成し、このイベント／コンテンツメッセージをアプリケーションサーバ装置１０６に送信する（ステップＳＴ３０３）ものとして説明を行った。
【００９３】
しかしながら、図２０に示すように、ホームサーバ装置１０９は、アプリケーションサーバ装置１０６から失敗アドレス取得メッセージを受け取ってもイベント／コンテンツメッセージをアプリケーションサーバ装置１０６に送信しなくてもよい。
【００９４】
この場合には、アプリケーションサーバ装置１０６は、ステップＳＴ３０７でアドレス管理サーバ装置１０５から登録アドレスメッセージを受け取ると、取得アドレスメッセージを生成して、この取得アドレスメッセージをホームサーバ装置１０９に送信する（ステップＳＴ４０１）。
【００９５】
そして、ホームサーバ装置１０９は、アプリケーションサーバ装置１０６から取得アドレスメッセージを受け取ると、この取得アドレスメッセージのイベント識別情報に対応して記憶しているコンテンツ情報を、取得アドレスメッセージのアドレス情報により特定される移動端末装置１０１に対して送信する（ステップＳＴ４０２）。
【００９６】
詳細には、アプリケーションサーバ装置１０６においては、情報取得制御部１４２は、受信部１４１からの登録アドレスメッセージを受け取ると、この登録アドレスメッセージと、記憶部１４３に記憶している移動端末識別情報およびイベント識別情報とから取得アドレスメッセージを生成する。そして、情報取得制御部１４２は、この取得アドレスメッセージを、登録アドレスメッセージに含まれる移動端末識別情報に対応するホームサーバアドレス情報により特定されるホームサーバ装置１０９に対して送信する（ステップＳＴ４０１）。
【００９７】
そして、ホームサーバ装置１０９においては、情報取得制御部１５２は、受信部１５１から取得アドレスメッセージ又は失敗アドレス取得メッセージを受け取ると、情報送信制御部１５４に出力する。情報送信制御部１５４は、情報取得制御部１５２からの取得アドレスメッセージを受け取ると、この取得アドレスメッセージの移動端末識別情報およびイベント識別情報に対応する記憶部１５３に記憶されたコンテンツ情報を取得する。そして、情報送信制御部１５４は、記憶部１５３から取得したコンテンツ情報と、情報取得制御部１５２からの取得アドレスメッセージに含まれるアドレス情報とを送信部１５５に出力する。送信部１５５は、情報送信制御部１５４からのコンテンツ情報を、情報送信制御部１５４からのアドレス情報により特定される移動端末装置１０１に送信する（ステップＳＴ４０２）。
【００９８】
こうすることで、ホームサーバ装置１０９が、家庭用電化装置１１０からのコンテンツ情報を記憶しつつ、アドレス管理サーバ装置１０５から移動端末装置１０１の最新のアドレス情報を取得し、この最新のアドレスに対して上記コンテンツ情報を送信するので、移動端末装置１０１におけるユーザへの報知の確実性を向上することができる。
【００９９】
またなお、上記説明におけるコンテンツ情報がテレビ番組のようにある程度の時間が掛かる情報であるときには、以下のように報知システム１００は動作する。
【０１００】
図３に示すように、ホームサーバ装置１０９がアプリケーションサーバ装置１０６から取得アドレスメッセージを受信する場合には、ホームサーバ装置１０９は、移動端末装置１０１のアドレス情報を取得でき次第、この移動端末装置１０１に対して、家庭用電化装置１１０から送られてくるコンテンツ情報をステップＳＴ２０７において連続して送信する。
【０１０１】
一方、ホームサーバ装置１０９がアプリケーションサーバ装置１０６から失敗アドレス取得メッセージを受信する場合には、図２１に示すように、ステップＳＴ５０１においては、ホームサーバ装置１０９は、ステップＳＴ４０１において送信先の移動端末装置１０１のアドレス情報を取得するまでの間に、家庭用電化装置１１０から送られてくるステップＳＴ２０１と同様のイベント通知メッセージ（ただし、ここでは、テレビ番組などのコンテンツ情報を前提としているため、連続した画像情報などが分割されたコンテンツ情報であり、同種類のイベント通知メッセージであってもこれに含まれるコンテンツ情報は異なる）を受信する。
【０１０２】
そして、ホームサーバ装置１０９は、家庭用電化装置１１０からのイベント通知メッセージのコンテンツ情報の保存処理を繰り返す（ステップＳＴ５０２）。
【０１０３】
そして、ホームサーバ装置１０９は、ステップＳＴ４０１において移動端末装置１０１のアドレス情報を取得でき次第、この移動端末装置１０１に対して、これまでステップＳＴ５０２において保存処理してきたコンテンツ情報、および家庭用電化装置１１０から送られてくるコンテンツ情報を連続して送信する（ステップＳＴ５０３）。
【０１０４】
このケースは、例えば、ユーザがあらかじめ興味のあるテレビ番組をホームサーバ装置１０９に登録しておき、所定の時刻になったら、ホームサーバ装置１０９がユーザに通知するサービスに相当する。このサービスの形態では、ホームサーバ装置１０９がユーザに通知すると同時にテレビ番組をネットワーク経由で転送し、ユーザが移動端末装置１０１を用いてテレビ番組を視聴する。ホームサーバ装置１０９がユーザに通知しようとした際に通知ができなかった場合には、そのテレビ番組の録画を開始し、ユーザが通信できるようになったら、録画しておいた番組を送信する。
【０１０５】
なお、以上の説明では、ステップＳＴ２０７、ステップＳＴ３０８およびステップＳＴ４０２において、ホームサーバ装置１０９又はアプリケーションサーバ装置１０６が移動端末装置１０１の最新のアドレス情報を取得できたときに、コンテンツ情報を移動端末装置１０１に送信するものとして説明を行った。しかしながら、ホームサーバ装置１０９又はアプリケーションサーバ装置１０６が移動端末装置１０１の最新のアドレス情報を取得できたときに、まずイベント識別情報を移動端末装置１０１に送信し、このイベント識別情報から特定されるイベントの報知を受けたユーザの指示を受けた後に、ホームサーバ装置１０９又はアプリケーションサーバ装置１０６がそのイベント識別情報に対応するコンテンツ情報を移動端末装置１０１に送信する構成としてもよい。
【０１０６】
またなお、以上の説明においては、アドレス管理サーバ装置１０５とアプリケーションサーバ装置１０６とは別々の装置として説明したが、一体として構成される装置としてもよい。また、ホームサーバ装置１０９と家庭用電化装置１１０とは別々の装置として説明したが、これを一体として構成される装置としてもよい。
【０１０７】
なお、以上の説明においては、家庭内ネットワークシステム１０８におけるホームサーバ装置１０９と家庭用電化装置１１０とを扱って説明を行ったが、家庭内に限られず、社内ネットワークシステムなどのネットワークシステム、そのシステムにおけるサーバ装置、および電化装置にも適用可能である。
【０１０８】
例えば、ホームサーバ装置１０９を社内ネットワークにおける呼制御サーバ装置６０５、家庭用電化装置１１０を社内ネットワークにおける社内端末装置６０４に置き換え、社内端末装置６０４から移動端末装置１０１に発呼したとする。
【０１０９】
このとき、移動端末装置１０１が通信圏外にいるなどして着信が成功しなかった場合、上記実施の形態と同様な動作シーケンスにより、呼制御サーバ装置６０５にアドレス取得失敗が通知される（図２２参照）。すなわち、図２２においてステップＳＴ２０１からステップＳＴ３０２までの動作は図９と同様である。
【０１１０】
次に呼制御サーバ装置６０５は社内端末装置６０４へ呼接続に失敗したことを通知する（ステップＳＴ６０１）と、社内端末装置６０４は、移動端末装置１０１に向けに伝言情報を生成し（ステップＳＴ６０２）、伝言情報通知メッセージとして呼制御サーバ装置６０５に送信する（ステップＳＴ６０３）。呼制御サーバ装置６０５は、この伝言情報をアプリケーションサーバ装置１０６に送信し（ステップＳＴ３０３）、アプリケーションサーバ装置１０６ではこの伝言情報を保持する（ステップＳＴ３０４）。
【０１１１】
以降は上記実施の形態と同様な動作シーケンスにより、移動端末装置１０１が通信圏内に入ると、伝言情報が移動端末装置１０１に配信される。すなわち、図２２においてステップＳＴ３０５〜ステップＳＴ３０８までの報知システム１００の動作は図９と同様である。
【０１１２】
以上のように、本実施の形態によれば、電化装置からのコンテンツ情報をサーバ装置が記憶し、かつ、移動端末装置の最新のアドレス情報を取得し、この最新のアドレス情報に対して上記コンテンツ情報を送信するので、移動端末装置におけるユーザへの報知の確実性を向上することができる。
【産業上の利用可能性】
【０１１３】
本発明は、電化装置からのコンテンツ情報をサーバ装置が記憶し、かつ、移動端末装置の最新のアドレス情報を取得し、この最新のアドレス情報に対して上記コンテンツ情報を送信するので、移動端末装置におけるユーザへの報知の確実性を向上する報知システム、移動端末装置、およびサーバ装置として有用である。
【図面の簡単な説明】
【０１１４】
【図１】本発明の一実施の形態に係る報知システムの全体構成図
【図２】図１の移動端末装置のアドレス登録処理を示した図
【図３】図１の報知システムの動作の流れを説明するための図
【図４】アドレス取得制御メッセージの構成を説明する図
【図５】アドレス検索メッセージの構成を説明する図
【図６】成功検索結果メッセージの構成を説明する図
【図７】失敗検索結果メッセージの構成を説明する図
【図８】取得アドレスメッセージの構成を説明する図
【図９】図１の報知システムの動作の流れを説明するための図
【図１０】失敗アドレス取得メッセージの構成を説明する図
【図１１】イベント／コンテンツメッセージの構成を説明する図
【図１２】登録アドレスメッセージの構成を説明する図
【図１３】図１の移動端末装置の構成を示すブロック図
【図１４】図１のアドレス管理サーバ装置の構成を示すブロック図
【図１５】図１４の記憶部におけるテーブルの一例を示す図
【図１６】図１のアプリケーションサーバ装置の構成を示したブロック図
【図１７】図１６のアプリケーションサーバ装置の記憶部におけるテーブルの一例を示す図
【図１８】図１のホームサーバ装置の構成を示したブロック図
【図１９】図１８のホームサーバ装置の記憶部におけるテーブルの一例を示す図
【図２０】図１の報知システムの他の動作の流れを説明するための図
【図２１】図１の報知システムの他の動作の流れを説明するための図
【図２２】図１の報知システムの他の動作の流れを説明するための図
【符号の説明】
【０１１５】
１００  報知システム
１０１  移動端末装置
１０２  基地局装置
１０３  ネットワークシステム
１０４  ＡＳＰネットワークシステム
１０５  アドレス管理サーバ装置
１０６  アプリケーション装置
１０９  ホームサーバ装置
１１０  家庭用電化装置
１２１  アドレス情報登録制御部
１２２、１３５、１４４、１５５  送信部
１２３、１３１、１４１、１５１  受信部
１２４  報知部
１３２  アドレス情報管理部
１３３、１４３、１５３  記憶部
１３４  アドレス情報通知制御部
１４２、１５２  情報取得制御部
１４５  コンテンツ情報送信制御部
１５４  情報送信制御部
６０４  社内端末装置
６０５  呼制御サーバ装置
【図１】
2006050562.tif 000003
【図２】
2006050562.tif 000004
【図３】
2006050562.tif 000005
【図４】
2006050562.tif 000006
【図５】
2006050562.tif 000007
【図６】
2006050562.tif 000008
【図７】
2006050562.tif 000009
【図８】
2006050562.tif 000010
【図９】
2006050562.tif 000011
【図１０】
2006050562.tif 000012
【図１１】
2006050562.tif 000013
【図１２】
2006050562.tif 000014
【図１３】
2006050562.tif 000015
【図１４】
2006050562.tif 000016
【図１５】
2006050562.tif 000017
【図１６】
2006050562.tif 000018
【図１７】
2006050562.tif 000019
【図１８】
2006050562.tif 000020
【図１９】
2006050562.tif 000021
【図２０】
2006050562.tif 000022
【図２１】
2006050562.tif 000023
【図２２】
2006050562.tif 000024